(57)【要約】      （修正有）【課題】回転ベゼルの信頼できる、簡単な操作を可能にする時計用ケース。【解決手段】時計用ケース（３０）であって、胴（３）と、回転ベゼル（２０）と、回転ベゼルを阻止するための装置（１０）であって、回転ベゼルの回転を防止可能な第１位置と、回転ベゼルの回転を許可可能な第２位置との間で、胴に対して可動に取り付けられる端部リンク（１）を含み、端部リンクは、時計を装着中に時計の装着者が端部リンクを胴に対して移動可能なように配置される、動作及びまたは把持部分（Ｐ）を含む、装置と、を含む。【選択図】図１
2020165964.tif 000002
【特許請求の範囲】
【請求項１】
時計用ケース（３０）であって、
胴（３）と、
回転ベゼル（２０）と、
回転ベゼル（２０）を阻止するための装置（１０）であって、前記回転ベゼル（２０）の回転を防止可能な第１位置と、前記回転ベゼル（２０）の回転を許可可能な第２位置との間で、前記胴に対して可動に取り付けられる端部リンク（１）を含み、前記端部リンクは、前記時計を装着中に前記時計の装着者が前記端部リンクを胴に対して移動可能なように配置される、動作及びまたは把持部分（Ｐ）を含む、装置と、
を含む、ケース（３０）。
【請求項２】
前記ケースは、前記胴に対する前記端部リンクの連節の第１軸（Ａ１）を含み、前記ケースは、前記ケースへのリストバンドパーツ（４）の固定及びまたは連節の第２軸（Ａ２）を含み、前記第１及び第２軸は平行または実質的に平行である、
請求項１に記載のケース。
【請求項３】
前記第１軸及び前記第２軸の間の距離は、１０ｍｍより小さい、または５ｍｍより小さい、
請求項２に記載のケース。
【請求項４】
前記ケースは、前記端部リンクの前記胴に対する、特に２つの位置への割出の、位置割出要素（１４、３８ａ、３８ｂ）を、とりわけ１以上のクリックを、特に１以上のボールクリックを含む、
請求項１から３のいずれか一項に記載のケース。
【請求項５】
前記端部リンクは、前記第１位置において、前記ベゼルの歯（２１）と、とりわけ上部ベゼル歯または底部ベゼル歯と、障害的に協働することが意図される歯（１１）を含む、
請求項１から４のいずれか一項に記載のケース。
【請求項６】
前記胴は、２つの角（３７）を含み、前記端部リンクは、前記ケースの２つの角（３７）を分離する距離（Ｌ）に実質的に対応する幅（Ｌａ）を有する、
請求項１から５のいずれか一項に記載のケース。
【請求項７】
前記胴は、２つの角を含み、前記ケースは、前記端部リンクを前記胴に対して旋回可能に連結するように前記２つの角の間に収容される、第１心棒（１２）または第１バーを含む、
請求項１から６のいずれか一項に記載のケース。
【請求項８】
前記ケースは、前記リストバンドパーツ（４）を前記胴（３）へ連結するためのシステム（４０）を含む、およびまたは前記ケースは、前記端部リンクを腕輪パーツ（４）へ機械的に連結する第２心棒（４１）または第２バーを含む、
請求項１から７のいずれか一項に記載のケース。
【請求項９】
前記胴は、前記端部リンクが可動に取り付けられる、とりわけ前記胴の残りへ追加された基部を形成する、基部（３ｂ）を含む、
請求項１から６のいずれか一項に記載のケース。
【請求項１０】
前記胴は、２つの角を含み、前記基部の幅（Ｌａ）は、前記ケースの２つの角（３７）を分離する距離（Ｌ）に実質的に対応する、
請求項９に記載のケース。
【請求項１１】
前記胴は、２つの角を含み、前記ケースは、前記基部を前記胴へ機械的に連結するために、前記２つの角の間に収容される、第１心棒（１２）または第１バーを含む、
請求項９または１０に記載のケース。
【請求項１２】
前記ケースは、前記基部をリストバンドパーツ（４）へ機械的に連結する、第２心棒（４１）または第２バーを含む、
請求項９から１１のいずれか一項に記載のケース。
【請求項１３】
請求項１から１２のいずれか一項に記載のケース（３０）を含む、時計（１００）、とりわけ腕時計。
【請求項１４】
請求項１から１２のいずれか一項に記載のケースまたは請求項１３に記載の時計を稼働する方法であって、とりわけ前記ケースまたは前記時計が装着者の手首に装着されている間に実施されるステップである、
前記回転ベゼルの前記回転を許可するために、前記端部リンクを前記端部リンクの前記第２位置に位置させる、前記装着者の第１動作、と
前記装着者の前記第１動作の停止、及びまたは前記回転ベゼルの前記回転を妨げるために前記端部リンクを前記端部リンクの前記第１位置へ位置させるための、前記装着者の第２動作、
の各ステップを含む、方法。
【発明の詳細な説明】
【技術分野】
【０００１】
本発明は、回転ベゼル阻止装置が設けられたケースに関する。本発明はまた、当該ケースを含む、時計に関する。本発明は最後に、当該時計または当該ケースの稼働の方法に関する。
【背景技術】
【０００２】
腕時計の回転ベゼルの回転を阻止するための装置は、従来技術から既知である。
【０００３】
例として、特許文献１は、並進的に可動な押しボタンにより作動可能な、腕時計の回転ベゼルの回転を阻止するための装置を開示する。
【０００４】
他の例として、特許文献２は、ケースの２本の角の間にそれぞれ現れる要素により作動可能な、腕時計の回転ベゼルの回転を阻止するための装置を開示する。これら並進的に可動な要素の操作は、その寸法が小さいため、扱いにくいことがわかる。さらに、これら要素は、ケースの胴の環状座部とベゼルの底面との間に配置されるため、リストバンドをケースに連結する取付システムを覆わない。
【０００５】
特許文献３は、ケース胴の側面に回転可動に搭載された、ベゼルロックを実施する回転ベゼルの回転を阻止するための装置を開示する。当該ロックは、その両側に配置された押しボタンを操作することにより作動される。このため、当該ロックはそれ自体では十分ではなく、補助作動手段を必要とする。
【０００６】
特許文献４からは、ベゼルの簡素化したデザインを提案するために、ベゼルの軸方向端部の揺れの範囲を定めるために設けられた端部リンクが知られている。装着時に、端部リンクは、端部リンクがベゼルのあらゆる回転運動を妨げることが可能な、単一かつ独特ないわゆる「動作中」の所定の位置を取る。リストバンドパーツが取り除かれた場合のみ、端部リンクは可動となり、このためベゼルを胴の環状座部から開放可能とする。このためには、端部リンクは、リストバンドパーツが胴へ連節された際にリストバンドパーツを胴へ固定するためのバーにより、回転が阻止される。
【先行技術文献】
【特許文献】
【０００７】
【特許文献１】米国特許第７４３４９８４号明細書
【特許文献２】米国特許第７５７２０４９号明細書
【特許文献３】米国特許出願公開第２０１６／０１０９８５３号明細書
【特許文献４】スイス特許出願公開第４９０７０６号明細書
【特許文献５】欧州特許出願公開第２６２４０７６号明細書
【発明の概要】
【発明が解決しようとする課題】
【０００８】
本発明の目的は、従来技術から既知のケースを改善するケースを提供することである。特に、本発明は、回転ベゼルの信頼できる、簡単な操作を可能にするケースを提案する。
【課題を解決するための手段】
【０００９】
本発明によれば、ケースは請求項１で定義される。
【００１０】
ケースの様々な実施形態は、請求項２から１２で定義される。
【００１１】
本発明によれば、時計は、請求項１３で定義される。
【００１２】
本発明によれば、ケースまたは時計の稼働方法は、請求項１４で定義される。
【００１３】
添付の図面は、本発明にかかる時計の２つの実施形態を、例として、図示する。
【図面の簡単な説明】
【００１４】
【図１】図１は、本発明にかかる時計の第１実施形態を示す。
【図２】図２は、時計の第１実施形態のケースの一例の斜視図である。
【図３】図３は、時計の第１実施形態のケースの一例の斜視図である。
【図４】図４は、時計の第１実施形態のケースの一例の図１の面ＩＶ−ＩＶに沿った断面図である。
【図５】図５は、時計の第１実施形態の端部リンクの一例の斜視図である。
【図６】図６は、時計の第１実施形態の胴の一例の斜視図である。
【図７】図７は、時計の第１実施形態のケースの一例の、第１構造にある端部リンクの高さでの、図１の面ＶＩＩ−ＶＩＩに沿った断面図である。
【図８】図８は、時計の第１実施形態のケースの一例の、第２構成にある端部リンクの高さでの、図１の面ＶＩＩ−ＶＩＩに沿った断面図である。
【図９】図９は、時計の第１実施形態のケースの一例の、端部リンク位置割出要素の高さでの、図１の面ＩＸ−ＩＸに沿った断面図である。
【図１０】図１０は、本発明にかかる時計の第２実施形態を図示する。
【図１１】図１１は、時計の第２実施形態のケースの一例の、第１構成にある端部リンクの高さでの、図１０の面ＸＩ−ＸＩに沿った断面図である。
【図１２】図１２は、時計の第２実施形態のケースの一例の、第２構成にある端部リンクの高さでの、図１０の面ＸＩ−ＸＩに沿った断面図である。
【図１３】図１３は、時計の第２実施形態のケースの一例の、端部リンクの第１位置における、割出要素の高さでの、図１０の面ＸＩＩＩ−ＸＩＩＩに沿った断面図である。
【図１４】図１４は、時計の第２実施形態の端部リンクの一例の斜視図である。
【発明を実施するための形態】
【００１５】
時計の第１実施形態を、図１から９を参照して以下に説明する。時計は、好ましくは腕時計１００である。
【００１６】
時計１００はケース３０を含む。ケースは時計ムーブメントを、とりわけ電子式ムーブメントまたは機械式ムーブメントを、特に自動式ムーブメントを包含することが意図される。
【００１７】
時計はまた、ケースに機械的に連結された、特にケースに連節された、リストバンドを含む。リストバンドは、好ましくは、それぞれがケースへ固定または連節された第１端部と、留め金に固定されることが意図される第２端部とを含む、２つのリストバンドパーツ４を含む。
【００１８】
ケース３０は、主として、
−  胴３、
−  底５、
−  ガラス６、
−  りゅうず７、および
−  回転ベゼル２０、
を含む。
これら要素は、時計ムーブメントを受け入れることを意図する、密閉された筐体を形成するために協働する。
【００１９】
回転ベゼルは、有利には、胴の軸Ａ３周りに回転可動に胴に搭載される。このような配置のため、時計の装着者は、胴に対する及びまたはケースに含まれる文字盤に対する回転ベゼルの位置の角度で定義される、情報を表示するために、とりわけ時刻または時刻派生情報を表示するために、印が付された回転ベゼルを使用可能である。
【００２０】
ベゼルの回転は、二方向であってもよい。代替的に、ベゼルの回転は、一方向であってもよい。このようなケースの場合、ケースは、ベゼルの第１方向への回転を可能にし、ベゼルの第１方向と反対の第２方向への回転を阻げる要素を含む。
【００２１】
回転ベゼル２０の好ましい実施形態において、回転ベゼル２０は、特許文献５に開示されているようなデザインを有する。同３の環状座部に形成されたハウジング３２に配置された巻きばね３１は、図４に示すように、リング３４を介して、ベゼル２０を胴３に追加されたリング３３に対して押圧する。このような形態は、ベゼルへ軸方向の固定を与える一方、回転に抵抗する適切なトルクを付与する。
【００２２】
また有利には、ケースは、胴に対する位置へベゼルをノッチングするまたは割り出すためのシステムを含む。当該システムは、胴に対して軸Ａ３周りにベゼルが取ることができる、有限数の安定した角度位置（例えば１２、２４、３０、６０、または１２０）を規定可能にする。
【００２３】
このため、任意で、ベゼル２０の底面２０ｂは、図４に示すようにベゼル２０のノッチングを可能にするために、胴３に収容される歯３５と協働するよう設けられた割出歯２２を含んでもよい。このため、歯３５は胴のハウジング３２に配置され、巻きばね３１のようなばねにより弾性的に戻されてもよい。リング３４は、とりわけ歯３５が歯２２と直接接触可能なように、切り欠き３４ａを含んでもよい。
【００２４】
ケースはまた、回転ベゼル２０の回転を防止可能な第１位置と回転ベゼル２０の回転を許可可能な第２位置との間で胴に対して可動に取り付けられた端部リンク１を含む、回転ベゼル２０を阻止するための装置１０を含む。
【００２５】
当該阻止装置は、とりわけ、ベゼルによって提供される情報を、特に時刻または時刻派生情報を偽りかねない、ベゼルの時機を逸した回転のあらゆるリスクを防止するために設けられる。
【００２６】
端部リンクは、時計の装着者が時計を装着時に端部リンクを胴に対して移動可能なように配置された、動作及びまたは把持部分Ｐを含む。このため、阻止装置は、好ましくは少なくとも２つの位置の間を移動可能な、ケースの端部リンクにより作動可能であるという事実により特徴づけられる。特に、端部リンクは、有利には、端部リンクに対する単純な動作により装着者から直接操作可能である。
【００２７】
「端部リンク」とは、ケースの高さで、リストバンドパーツ取付システムに、特にケースの胴の２つの角の間に、配置される要素を意味するものと理解される。当該端部リンクは、特に時計が装着されるときに、リストバンドパーツのケースへの取付用システムを覆うために設けられる。好みにより、端部リンクは、特に時計が装着されるときに、有利には腕時計の装着者にリストバンドパーツのケースへの範囲が規定されるシステムが見えないように適合された、リストバンドパーツのケースへの取付用システムを含む。
【００２８】
端部リンク１は、有利には、胴３に対して第１軸Ａ１周りに回転可動に取り付けられる。このため、ケースは、有利には、胴に対する端部リンクの連節用の第１軸Ａ１を含む。このため、図７及び８に図示する軸Ａ１の心棒１２は、胴３の孔３６と、端部リンク１の貫通口１５に取り付けられる。胴３に対する心棒１２の縦方向の揺れは、図３に示すように、後者に留められたリング１３により。好みにより、孔３６は、それぞれ、胴３の角３７に形成される。
【００２９】
リストバンドパーツの１つは、好ましくは、ケース上に、ケース３０へリストバンドのパーツ４を連結するためのシステム４０の第２軸Ａ２周りに、固定及びまたは連節される。このため、ケースは、有利には、ケースに対してリストバンドのパーツ４を固定及びまたは連節するための第２軸Ａ２を含む。
【００３０】
第１及び第２軸Ａ１及びＡ２は、好ましくは、平行または実質的に平行である。第１軸及び第２軸間の距離は、好ましくは１０ｍｍより小さいまたは５ｍｍより小さい。
【００３１】
有利には、端部リンク１は、腕時計の装着者により、少なくとも２つの位置に従った、端部リンクに対する単純な動作により直接操作可能である。阻止装置１０の好ましい実施形態において、端部リンク１は、ベゼル２０を阻止可能な第１構成または位置と、ベゼル２０を開放し軸Ａ３周りの回転を許可するために設けられた第２構成または位置にそれぞれ対応する、２つの所定の安定位置または割出位置を有してもよい。このため、ケースは、特に胴に対して端部リンクを２つの安定位置に割り出す、位置割出要素１４、３８ａ、３８ｂを含む。割出要素は、好ましくは、１以上のクリック、特に１以上のボールクリックを含む。
【００３２】
少なくとも１つのボールクリックのボール１４ａは、図６に図示されるように、胴３の第１開口３８ａ、または胴３の第２開口３８ｂのいずれかに収容されるよう提供され、それにより胴に対する端部リンクの２つの所定安定位置を定義する。
【００３３】
好みにより、端部リンク１は、図９に図示されるように、好みにより胴３の角３７のそれぞれに形成された、開口３８ａ、３８ｂとそれぞれ協働するように端部リンクの両端にそれぞれ配置される、２つのボールクリック１４を含む。代替的に、ボールクリックは、角内に製造されてもよく、端部リンク内に形成された開口と協働してもよい。
【００３４】
好ましくは、端部リンクは、胴に対するベゼル２０の軸Ａ３周りの回転の阻止を可能にするよう、ベゼルの歯２１と、とりわけ上部ベゼル歯と、端部リンクの第１位置で障害的に協働することが意図される、少なくとも１つの歯１１を含む。
【００３５】
第１実施形態の図１から９に示すように、第１歯２１は、ベゼル２０の上面２０ａ上に形成されてもよい。このため、第２歯２１は、第１実施形態においては、上部歯である。
【００３６】
図７に示す阻止装置１０の第１構成において、端部リンク１の歯１１は、歯２１の２つの連続する歯の間に位置され、ベゼル２０の回転を阻止する。このため、第１構成において、端部リンク１は、図９に示すように、ボールクリック１４の開口３８ａのそれぞれとの協働により規定される、第１位置を占める。
【００３７】
ユーザによる端部リンク１の動作及びまたは把持部分Ｐへの圧力により、端部リンク１の回転が引き起こされ、これにより端部リンクが第１位置から、阻止装置の第２構成に対応する、ボールクリック１４と開口３８ｂのそれぞれとの協働により規定される第２位置へ、駆動される。図８に示す当該第２構成において、端部リンクは、歯１１が歯２１の範囲外となるよう位置され、これにより胴に対するベゼル２０の軸Ａ３周りの回転を可能にする。
【００３８】
阻止装置１０の好ましい実施形態によれば、第１歯２１は、端部リンク１が第１位置を占めるとき、歯１１から後退不可能である。このため、阻止装置１０は、好ましくは、ベゼル２０の回転を阻止する装置を構成する。
【００３９】
好みにより、第１歯２１と割出歯２２は、第１歯２１が、割出歯２２に規定されるすべての位置について、端部リンク１の歯１１に対して適切に割り出されることができるように、同数の歯を有する。代替的に、割出歯２２の歯の数は、第１歯２１の歯の数の倍数または約数であってもよい。例として、第１歯２１及びまたは割出歯２２は、１２、２４、３０、６０または１２０本の歯を含んでもよい。
【００４０】
阻止装置１０を単純化した実施形態によれば、第１歯２１は、端部リンク１が第１位置を占めていても、とりわけベゼル２０に第２歯２２が設けられていないときに、例えばベゼルへ胴のばね３１に反して圧力をかけることにより、歯１１から後退可能である。このため、阻止装置１０は、少なくともベゼル２０を軸方向に阻止する装置を構成し、このため単純化したベゼル２０の設計を実施するために、少なくとも部分的に、ベゼルの軸方向固着リング３３を代替可能である。
【００４１】
端部リンクは、好ましくは、ケースの２つの角３７を分離する距離Ｌに実質的に対応する、幅Ｌａを有する。好ましくは、当該幅と当該距離は、機能的遊び内で、等しい。このため、端部リンク１の幅は、胴３の角の同じ一対である、２本の角３７を分離する距離に実質的に対応する。
【００４２】
好みにより、ケースは、端部リンクをリストバンドのパーツ４へ機械的に連結する第２心棒４１または第２バーを含む。このため、リストバンドのパーツ４は、端部リンク１経由で胴３に連結される。より具体的には、端部リンク１は、リストバンドのパーツ４を胴へ連結するシステム４０を含む。当該リンクシステム４０は、例えば、従来のリンクの形態をとってもよい。当該システムは、例えば、第２軸Ａ２に沿って延長し、端部リンク１の開口１６に収容される、バー４１を含んでもよい。当該バーは有利には、図５に図示するように、リストバンドのパーツ４の第１リンク４２を旋回させるために提供される。
【００４３】
代替的に、端部リンク１は、ケースに、特に胴に直接連結されたパーツのリンクを、少なくとも部分的に、覆うことができる。
【００４４】
阻止装置１０の第１実施形態において、端部リンク１は一体部品の形状を取る。ベゼル２０もまた一体部品の形状を取る。
【００４５】
時計の第２実施形態を、図１０から１４を参照して、以下に説明する。
【００４６】
当該第２実施形態において、第１実施形態の要素と同一、類似または同一機能を有するあらゆる要素は、第１実施形態の要素と同じ参照番号を付与することができる。
【００４７】
第２実施形態は、第１歯２１がベゼル２０の底面２０ｂに形成される、すなわち底部歯２１である点で、第１実施形態と異なる。このため、端部リンク１の歯１１との協働に加えて、これら第１歯２１は、第１実施形態に関して以前に説明したように、任意で、ベゼル２０のノッチングを可能とするように、胴３に収容された歯３５と協働することができる。
【００４８】
代替的に、または加えて、第２実施形態は、胴が基部３ｂを、とりわけ端部リンクが可動に取り付けられる胴の残りに追加される基部を含む点で、第１実施形態と異なることができる。この場合基部は、有利には、機能的遊び内で、ケースの胴の２つの角を分離する距離Ｌに対応する幅Ｌａを有する。さらにケースは、基部を胴へ機械的に連結するために、２つの角の間に収容された心棒１２またはバー２を含んでもよい。
【００４９】
第２実施形態は、先行する２つの段落の一方または他方で提起された特徴のみにより、第１実施形態と異なってもよい。
【００５０】
図１０から１４に図示する第２実施形態において、端部リンク１は、軸Ａ１周りに基部３ｂに対して回転可動に取り付けられる。基部３ｂは、中央リンクを形成する区域１０ｂ’に連結された２つの縁部リンク１０ｂを形成する、リンクの形態をとってもよい。端部リンク１は、少なくとも部分的に、区域１０ｂ’を覆う。端部リンク１は、軸Ａ１を形成する心棒１２またはバー１２を介して胴に取り付けられ、軸Ａ１は端部リンクと基部３ｂの貫通口１５内に収容されるよう設けられる。基部３ｂは、図１４に示すようにバー１２周りの回転を妨げる当接部１７を介して、胴３上で不動である一方、端部リンク１はバー周りに旋回自由である。
【００５１】
好みにより、基部３ｂはまた、リストバンドのパーツ４を胴３へ連結するためのシステム４０を含む。当該システム４０は、例えば、従来のリンクの形態をとってもよい。当該システムは、例えば、図１０に示すように、軸Ａ２を形成し、リストバンドのパーツ４の第１リンク４２を旋回させるために設けられる、基部３ｂの開口１６内に収容されるバー４１を含んでもよい。
【００５２】
図１１に示す阻止装置１０の第１構成において、端部リンク１の歯１１は、歯２１の２つの連続する歯の間に位置され、ベゼル２１の回転を阻止する。このため、端部リンク１は、例えば、図１３に示すように、ボールクリック１４の開口３８ａのそれぞれとの協働により定義される、第１位置を占める。
【００５３】
阻止装置１０の第１実施形態とは異なり、端部リンク１は、押圧動作ではなく、図１２に示すように、端部リンクを軸Ａ１周りに旋回させ、歯１１を歯２１から阻止装置の第２構成を定義する第２位置へ分離させるために、端部リンクをわずかに上昇させる引っ張り動作により作動される。
【００５４】
阻止装置１０の第２実施形態によれば、端部リンク１が第１位置を占めるとき、第１歯２１は歯１１から後退不可能である。このため、阻止装置１０は、ベゼル２０の回転を阻止する装置を構成する。
【００５５】
図１０から１４はいくつかの部品の、すなわちベゼルディスク２３、ベゼルリング２４、および当該ベゼルリング２４に追加された歯２１のアセンブリを形成するベゼル２０を図示する。代替的に、ベゼルは一体部品の形状をとってもよい。
【００５６】
好ましくは、本発明にかかるケースは、胴の一対の角の高さでケースに配置された、単一のベゼル阻止装置を含む。この場合、角の他の一対の高さには、阻止装置の一部を形成しない他の端部リンクを配置することも可能である。当該他の端部リンクは、有利には、阻止装置の一部を形成する端部リンクと類似の形状または外観を有する。
【００５７】
本明細書中、「底面」は、ケースの内部に向かう表面、すなわち時計の文字盤方向を見る観察者から見えない表面を意味すると理解される。
【００５８】
「上面」は、ケースの外側に向かう表面、すなわち時計の文字盤方面を見る観察者から見える表面を意味すると理解される。すなわち、上面は、小型時計の装着者から見える。
【００５９】
上述のケースまたは上述の時計を稼働する方法の一実施形態を、以下に説明する。方法は、
回転ベゼルの回転を許可するために、端部リンクを端部リンクの第２位置へ位置させる装着者の第１動作と、
あるいは、回転ベゼルを胴に対して軸Ａ３周りに回転させるための、装着者による回転ベゼルへの動作と、
装着者の第１動作の停止、及びまたは回転ベゼルの回転を妨げるために端部リンクを端部リンクの第１位置へ位置させるための、装着者の第２動作と、
のステップを含み、これらステップはとりわけケースまたは時計が装着者の手首に装着されているときに実施される。
【００６０】
説明した解決策において、リストバンドパーツをケースへ、特に胴へ固定する手段は、時計が装着者の手首に装着されているときに、時計の装着者により端部リンクが操作可能なように、端部リンクを胴へ固定するための手段から独立している。
【００６１】
前述の解決策により、所定のケースデザインに特によく統合され、リストバンドパーツを当該ケースへ連結するためのシステムの第２軸に平行なまたは実質的に平行な回転の第１軸周りにケース胴に対して少なくとも２つの位置に従い回転可動に取り付けられた端部リンクまたは端部リンクのパーツにより直接作動可能である、回転ベゼル阻止装置を提案可能である。
【符号の説明】
【００６２】
１          端部リンク
３          胴
４          リストバンドパーツ
１０        装置
１１        歯
１２        心棒
１４        位置割出要素
２０        回転ベゼル
２１        歯
３０        ケース
３７        角
４０        システム
４１        第２心棒
１００      時計
【図１】
2020165964.tif 000003
【図２】
2020165964.tif 000004
【図３】
2020165964.tif 000005
【図４】
2020165964.tif 000006
【図５】
2020165964.tif 000007
【図６】
2020165964.tif 000008
【図７】
2020165964.tif 000009
【図８】
2020165964.tif 000010
【図９】
2020165964.tif 000011
【図１０】
2020165964.tif 000012
【図１１】
2020165964.tif 000013
【図１２】
2020165964.tif 000014
【図１３】
2020165964.tif 000015
【図１４】
2020165964.tif 000016
【外国語明細書】
2020165964000001.pdf
2020165964000002.pdf
2020165964000003.pdf
2020165964000004.pdf